(57)【特許請求の範囲】
【請求項１】
紙葉類を受入れる受入口に臨ませたピックアップローラの回転駆動力に基づいて、受入口から紙葉類を１枚ずつ装置内部に繰出し処理する繰出し手段を備えた紙葉類処理装置であって、
上記受入口は固定された受板と底板とで斜め下向きに傾斜して形成され、
紙葉類の繰出し時に紙葉類を上記受入口の集積方向後方側から対設された下方の上記受板及び上記ピックアップローラ側へ押圧する押圧板と、
上記受板のローラ開口部から上記受入口に臨ませた上記ピックアップローラの突出量よりも多く且つ上記受板のガイド開口部から突出させて、該ピックアップローラの両側に併設した紙葉類への接触面が幅狭の紙葉類受入れガイド用のガイド部材と、
上記ガイド部材を紙葉類の受入れ時に突出させ、紙葉類の繰出し時に上記受板よりも後退させる可動手段を備えた
紙葉類処理装置。
【請求項２】
上記押圧板が押圧のために押圧位置へ移動する移動と、上記ガイド部材を後退させる可動手段の移動とを連動連結した
請求項１記載の紙葉類処理装置。
【請求項３】
請求項１または２記載の紙葉類処理装置の処理対象に紙幣を適用して入出金処理する紙幣入出金機。
【発明の詳細な説明】
【０００１】
【発明の属する技術分野】
この発明は、例えば紙幣入出金機の入金口に適用されるような紙葉類処理装置に関し、さらに詳しくは受入れた紙葉類を自然に整列収納させて紙葉類の繰出し性能を高めた紙葉類処理装置及び紙幣入出金機に関する。
【０００２】
【従来の技術】
以下、紙幣入出金機の入金口に適用した場合を示す。この入金口は、図７に示すように、周囲側面を囲んだ受板７１と底板７２とで紙幣Ａ…を横長の傾斜状態に受入許容する凹形受入部７３を入金方向７４に対して形成し、この凹形受入部７３の集積方向後方側から押圧板７５で、受入れた紙幣Ａ…を押圧し、押圧された紙幣Ａ…を受止める他側位置にピックアップローラ７６を対設して、このピックアップローラ７６に接触対応する紙幣を１枚ずつ繰出し、その繰出し方向７７にフィードローラ７８とゲートローラ７９とを配設して紙幣Ａ…を１枚ずつ繰出し動作している。
【０００３】
【発明が解決しようとする課題】
ところで、このような入金口は凹形受入部７３に投入された紙幣Ａと、繰出し位置のピックアップローラ７６との接触性を考慮して、ピックアップローラ７６の外周面の一部を凹形受入部７３に臨ませて紙幣との接触性を確保している。
【０００４】
しかし、凹形受入部７３の紙幣を受止める傾斜下方側の受板７１の集積傾斜角度が小さい場合は、ここに投入された紙幣Ａ…は底板７２側よりも受板７１側に寄り掛かって集積する割合が大きくなるため、複数枚の紙幣が投入された時は傾斜下方側の受板７１に位置する傾斜下方側紙幣Ａ1 の先端が摩擦抵抗の大きいピックアップローラ７６に当たって、この傾斜下方側紙幣Ａ1 が正規の受入位置まで降下せず、不安定な集積状態となる場合がある。この状態で繰出し動作された場合、空出しが生じたり、次に集積されている紙幣Ａが不安定に繰出されたり、前の集積紙幣Ａ1 と重なって連出しが発生することがあり、この繰出し部分でジャムを誘起しやすい問題を有していた。
【０００５】
そこでこの発明は、１つの受入口を受入れガイド状態と繰出し状態とに切換え許容することに着目し、受入口に出没自在な受入れガイド用のガイド部材を備えることにより、ここに受入れた紙葉類を自然に整列集積させて安定して繰出すことができる紙葉類処理装置及び紙幣入出金機の提供を目的とする。
【０００６】
【課題を解決するための手段】
請求項１記載の発明は、紙葉類を受入れる受入口に臨ませたピックアップローラの回転駆動力に基づいて、受入口から紙葉類を１枚ずつ装置内部に繰出し処理する繰出し手段を備えた紙葉類処理装置であって、上記受入口は固定された受板と底板とで斜め下向きに傾斜して形成され、紙葉類の繰出し時に紙葉類を上記受入口の集積方向後方側から対設された下方の上記受板及び上記ピックアップローラ側へ押圧する押圧板と、上記受板のローラ開口部から上記受入口に臨ませた上記ピックアップローラの突出量よりも多く且つ上記受板のガイド開口部から突出させて、該ピックアップローラの両側に併設した紙葉類への接触面が幅狭の紙葉類受入れガイド用のガイド部材と、上記ガイド部材を紙葉類の受入れ時に突出させ、紙葉類の繰出し時に上記受板よりも後退させる可動手段を備えたことを特徴とする。
【０００７】
請求項２記載の発明は、上記押圧板が押圧のために押圧位置へ移動する移動と、上記ガイド部材を後退させる可動手段の移動とを連動連結したことを特徴とする。
【０００８】
請求項３記載の発明は、このような紙葉類処理装置の処理対象に紙幣を適用して入出金処理する紙幣入出金機であることを特徴とする。
【０００９】
【発明の作用及び効果】
この発明によれば、受入口に紙葉類を受入れる時は、可動手段を駆動して、受入口に臨ませたピックアップローラの突出量よりも、同ピックアップローラに併設した紙葉類受入れガイド用のガイド部材を多く突出させる。一方、受入口から紙葉類を繰出す時は紙葉類受入れガイド用のガイド部材をピックアップローラの突出量及び上記受板よりも後退させる。
【００１０】
この結果、受入口に受入れられる紙葉類は、受入口での突出量の多いガイド部材に接触し、摩擦抵抗の大きいピックアップローラとは接触しないため、受入れ障害の発生要素を完全に解消して、紙葉類を円滑に正規の受入れ位置へと受入れることができる。このため、受入口の紙葉類集積傾斜角度が小さくても安定して受入れることができ、また紙葉類は整列集積されているため、この安定した整列集積状態から繰出す場合もジャムの発生要素を解消した安定した繰出し動作が得られ、紙葉類の繰出し性能を高めることができる。
【００１１】
また、ピックアップローラと対向し、紙葉類の繰出し時にピックアップローラ側に押圧する押圧板を設けて、この押圧板が押圧のために押圧位置へ移動する移動と、上記ガイド部材を後退させる可動手段の移動とを連動連結して設ければ、押圧板とガイド部材とを１つの駆動源で効率よく連動させることができ、部品点数の削減に伴う省スペース化及び低コスト化を図ることができる。
【００１２】
このような紙葉類処理装置の処理対象に紙幣を適用して入出金処理する紙幣入出金機を用いれば、紙幣入金時の受付け性能及び紙幣の繰出し性能を高めることができる。
【００１３】
【実施例】
この発明の一実施例を以下図面に基づいて詳述する。
図１は紙幣の入出金処理に利用される紙幣入出金機１１を示し、この紙幣入出金機１１は長方体状を有する装置本体１２の上部前面に入出金設定用の入力操作部１３と、入金口１４と、出金口１５及び返却口１６を備えて利用される。
【００１４】
上述の入金口１４は、図２及び図３に示すように、受板２１と底板２２とで紙幣Ａ…を横長の傾斜状態に受入れ収納する凹形受入部２３を、斜め下向きの入金方向２４に対して形成し、この凹形受入部２３の紙幣挟持方向の一側に押圧板２５を配設し、他側に押圧板２５により押圧された紙幣Ａ…を受止めるピックアップローラ２６と受入れガイドレバー２７とを対設している。
【００１５】
初期繰出し用に配設されるピックアップローラ２６は、外周面の一部を、受板２１のローラ開口窓２８より凹形受入部２３に臨ませて、紙幣繰出し時の紙幣との接触性を確保している。
【００１６】
また、ピックアップローラ２６の両側には、紙幣の受入れ性能を高めるための受入れガイドレバー２７を併設している。これらの受入れガイドレバー２７は、レバーの前面２７ａを受板２１のレバー開口窓２９より凹形受入部２３にそれぞれ臨ませ、このときレバーの前面２７ａを受板２１と平行に突出させ、さらにその突出量を、凹形受入部２３に臨ませたピックアップローラ２６の突出量よりも、多く突出させている。
【００１７】
これにより、入金口１４に受入れられる傾斜下方側の紙幣Ａ…は、凹形受入部２３での突出量の多い受入れガイドレバー２７のレバー前面２７ａに接して中央寄りにガイドされながら収納される。したがって、摩擦抵抗の大きいピックアップローラ２６の外周面とは接触せず、ピックアップローラ２６に起因する受入れ障害の発生を完全に解消して、全紙幣Ａ…を円滑に正規の受入れ位置へと整列させて受入れることができる。このため、凹形受入部２３が傾斜した紙幣集積用の傾斜角度が小さくても、受入れガイドレバー２７の受入れガイド作用により安定して受入れることができ、また紙幣Ａ…は凹形受入部２３に整列集積されるため、この安定した整列集積状態から繰出す場合もジャムの発生要素が解消された安定した繰出し動作が得られる。また、受入れガイドレバー２７は紙幣Ａとの接触抵抗を小さくするためレバーの前面２７ａを滑らかな狭幅にするのが適している。
【００１８】
また、受入れガイドレバー２７は、紙幣を受入れガイドする突出位置と紙幣の繰出しに支障のない後退位置とに移動可能に設けられ、紙幣繰出し時には、図４に示すように、受入れガイドレバー２７を後退させた後、押圧板２５を前進させて受入れた紙幣Ａをピックアップローラ２６側に押付けて、このピックアップローラ２６に接触対応させた紙幣Ａ…を繰出し、その繰出し方向３０にフィードローラ３１とゲートローラ３２とを配設して紙幣Ａを１枚ずつ繰出し動作する。
【００１９】
さらに、入金口１４に対しては、凹形受入部２３を形成する受板２１、押圧板２５、受入れガイドレバー２７の色を異ならせて、外部から押圧板２５の動きを明瞭に視認できるようにしている。これにより、利用者が凹形受入部２３での入金処理状態を確認することができる。
【００２０】
図５は押圧板２５を紙幣押圧方向に移動させる押圧移動と、受入れガイドレバー２７を後退させる後退移動とを連動連結させる連動機構３３を示し、この連動機構３３は１つの駆動モータを駆動源とする一方の受入れガイドレバーリンク機構３４と、他方の押圧板リンク機構３５とから構成される。
【００２１】
一方の受入れガイドレバーリンク機構３４は、図示しないモータからの駆動力を受けて回転する駆動軸３６と、上述の受入れガイドレバー２７の動作支点となる回動支点軸３７との間を第１リンク片Ｌ1 と、第２リンク片Ｌ2 と、第３リンク片Ｌ3 を介して連結し、通常はモータがＯＦＦで駆動力が加わらないとき、第１リンク片Ｌ1 に取付けた第１復帰バネ３８の引張り力に基づいて受入れガイドレバー２７が凹形受入部２３に突出した紙幣受入れガイド状態にある。
【００２２】
これに対し、他方の押圧板リンク機構３５は、並列配設された第４リンク片Ｌ4 と第５リンク片Ｌ5 の上端部を押圧板２５に連結し、下端部を各支点軸３９，４０に軸支し、これらを回動支点に押圧板２５を集積方向に進退移動させる。通常は、モータがＯＦＦで駆動力が加わらないとき、第５リンク片Ｌ5 に取付けた第２復帰バネ４１の引張り力に基づいて押圧板２５が凹形受入部２３の後方に退避して押圧待機状態にある。また、両リンク機構３４，３５間は、第１リンク片Ｌ1 と第４リンク片Ｌ4 との間を連結した第１復帰バネ３８の弾性連結作用により略同期して連動させている。
【００２３】
そして、紙幣を繰出すときは、図６に示すように、モータの駆動に基づいて両リンク機構３４，３５は各復帰バネ３８，４１の復帰力に抗して略同期して動作し始め、受入れガイドレバー２７は後退し、押圧板２５は前進して紙幣を押圧してピックアップローラ２６側に押付けて繰出し動作させる。また、凹形受入部２３には紙幣Ａ…の有無を検知する紙幣検知センサＳを配設して処理状態を確認している。
【００２４】
このように構成された紙幣入出金機１１の入金口１４への紙幣受入れ動作を次に説明する。
通常、この入金口１４は、図２に示すように、押圧板２５が後方に退避し、これと対向する受入れガイドレバー２７がピックアップローラ２６の突出量よりも僅かに多く突出して、ここに投入される紙幣Ａ…がピックアップローラ２６の突出部分に接触するのを完全に防いだ受入れガイド状態にある。
【００２５】
このため、入金口１４に受入れられる紙幣Ａ…は、上面が開放された凹形受入部２３内での突出量の多い受入れガイドレバー２７のレバー前面２７ａに接触することになり、ピックアップローラ２６とは全く接触しない。このため、受入れ障害の発生要素を完全に解消した受入れとなり、全ての紙幣Ａ…を下方の底板２２を基準とする正規の受入れ位置へと円滑に整列集積する。
【００２６】
続いて、この入金口１４から紙幣Ａ…を繰出す時は、図４〜図６に示すように、連動機構３３のモータを駆動し、これに基づいて受入れガイドレバー２７のレバー前面２７ａをピックアップローラ２６の突出量よりも後退させる。また、これと同期して押圧板２５は前方の押圧位置へと移動して整列集積された紙幣Ａ…をピックアップローラ２６側に押付け、押付けられた紙幣Ａはピックアップローラ２６の回転駆動力に基づいて繰出し動作される。このとき、凹形受入部２３では紙幣Ａ…が整列集積状態にあるため、紙幣の繰出し時には最適な繰出し条件となって安定した繰出し動作が得られる。
【００２７】
上述のように、紙幣を受入れる時は、凹形受入部に臨ませたピックアップローラの突出量よりも、同ピックアップローラに併設した受入れガイドレバーを多く突出させているため、ここに受入れられた紙幣は突出量の多い受入れガイドレバーに接触し、摩擦抵抗の大きいピックアップローラとは接触しないため、受入れ障害を完全に解消して紙幣を円滑に正規の受入れ位置へと受入れガイドすることができる。このため、入金口の紙幣集積傾斜角度が小さくても円滑に受入れることができ、また紙幣は整列集積されているため、これより繰出す場合も、ジャムの発生要素を解消した信頼性の高い繰出し動作が得られ、紙幣の繰出し性能を高めることができる。
【００２８】
ことに、入金口の凹形受入部に対して出没自在な受入れガイドレバーを設け、この受入れガイドレバーの出没動作により１つの凹形受入部を受入れガイド状態と繰出し状態とに切換え許容する両機能を持たせているため、ここに受入れた紙幣を自然に整列集積させて安定して繰出すことができる。
【００２９】
また、連動機構を設ければ、押圧板と受入れガイドレバーとを１つの駆動源で効率よく連動させることができ、部品点数の削減に伴う省スペース化及び低コスト化を図ることができる。さらに、紙幣入出金機に適用すれば、紙幣入金時の受付け性能及び紙幣の繰出し性能を高めることができる。
【００３０】
この発明と、上述の一実施例の構成との対応において、
この発明の紙葉類処理装置は、実施例の紙幣入出金機１１に対応し、
以下同様に、
紙葉類は、紙幣Ａに対応し、
受入口は、凹形受入部２３に対応し、
繰出し手段は、押圧板２５とピックアップローラ２６とフィードローラ３１及びゲートローラ３２に対応し、
ガイド部材は、受入れガイドレバー２７に対応し、
可動手段は、連動機構３３に対応し、
ローラ開口部は、ローラ開口窓２８に対応し、
ガイド開口部は、レバー開口窓２９に対応するも、
この発明は、請求項に示される技術思想に基づいて応用することができ、上述の一実施例の構成のみに限定されるものではない。
【図面の簡単な説明】
【図１】  この発明の紙幣入出金機を示す外観斜視図。
【図２】  この発明の入金口の紙幣受入れ状態を示す要部側面図。
【図３】  この発明の入金口の紙幣受入れ状態を示す要部正面図。
【図４】  この発明の入金口の紙幣繰出し状態を示す要部側面図。
【図５】  この発明の連動機構の紙幣受入れ待機状態を示す動作説明図。
【図６】  この発明の連動機構の紙幣繰出し状態を示す動作説明図。
【図７】  従来の入金口の紙幣受入れ状態を示す要部側面図。
【符号の説明】
１１…紙幣入出金機
１４…入金口
２１…受  板
２２…底  板
２３…凹形受入部
２４…入金方向
２５…押圧板
２６…ピックアップローラ
２７…受入れガイドレバー
３１…フィードローラ
３２…ゲートローラ
３３…連動機構
Ａ…紙  幣
【図１】
0003976449.tif 000002
【図２】
0003976449.tif 000003
【図３】
0003976449.tif 000004
【図４】
0003976449.tif 000005
【図５】
0003976449.tif 000006
【図６】
0003976449.tif 000007
【図７】
0003976449.tif 000008